(57)【要約】【課題】制御対象となる装置を制御する複数の制御部の組み合わせが、これらの制御部に記憶されている制御情報を調整したときの組み合わせと異なる場合であっても、この装置を制御し得るようにする。【解決手段】電源スイッチをＯＮからＯＦＦに切り替えると、第２制御部の副制御基板のメモリに記憶された制御情報が、第１制御部のフラッシュメモリに記憶される。そして、電源スイッチをＯＦＦからＯＮに切り替えると、第１制御部のフラッシュメモリに記憶された制御情報が、第２制御部の副制御基板のメモリに記憶される。電源スイッチがＯＦＦの時点で、第１制御部と第２制御部の組み合わせが制御情報を調整した組み合わせと異なっていても、電源スイッチがＯＮに切り替えられると、第１制御部のフラッシュメモリに記憶された制御情報が、第２制御部の副制御基板のメモリに記憶され、その制御情報を元にして各モジュールの制御が行われる。【選択図】図２
2011010022.tif 000002
【特許請求の範囲】
【請求項１】
各々異なる機能を実現する複数の機能実現手段を備えた装置に対してそれぞれ接続又は分離が可能で、前記装置に接続された状態で各々の前記機能実現手段の制御を行う第１制御部及び第２制御部を備え、
前記第１制御部及び前記第２制御部はそれぞれ、
各々の前記機能実現手段を制御するときに用いる制御情報を記憶し、記憶している当該制御情報を用いて各々の前記機能実現手段を制御する１又は複数の副制御基板と、
自身が備える前記副制御基板の動作を制御する主制御基板とを備え、
前記第１制御部が備える前記主制御基板は、
前記第１制御部が前記装置に接続された状態で、当該装置において第１の操作がなされると、前記第２制御部が備える前記副制御基板に記憶されている前記制御情報を取得して記憶し、前記装置において第２の操作がなされると、自身が記憶していた前記制御情報を前記第２制御部に供給して、当該前記第２制御部が備える前記副制御基板に記憶させる
ことを特徴とする制御装置。
【請求項２】
前記第１の操作は、前記装置に対する電力の供給を停止する操作であり、
前記第２の操作は、前記装置に対する電力の供給を開始する操作である
ことを特徴とする請求項１記載の制御装置。
【請求項３】
請求項１又は請求項２のいずれか１項に記載の制御装置と、
記録媒体に画像を形成する機能を含む複数の機能を実現する機能実現手段と
を備えることを特徴とする画像形成装置。
【発明の詳細な説明】
【技術分野】
【０００１】
本発明は、制御装置及び画像形成装置に関する。
【背景技術】
【０００２】
画像形成装置には、例えば画像を形成する画像形成機能、画像を読み取る画像読取機能、或いは通信を行う通信機能などの複数の機能を実現するものがある。このような多機能の画像形成装置は、それぞれの機能を実現する回路、部品或いは装置（以下、これらをモジュールと総称する）の動作を、制御基板に備えられた集積回路やメモリに記憶されている制御情報に基づいて制御している。特許文献１には、制御基板やモジュールが交換されたり、これらが記憶している内容が改ざんされたことを、制御情報に基づいて検知する技術が開示されている。
【先行技術文献】
【特許文献】
【０００３】
【特許文献１】特開２００５−４３５３１号公報
【発明の概要】
【発明が解決しようとする課題】
【０００４】
本発明の目的は、制御対象となる装置を制御する複数の制御部の組み合わせが、これらの制御部に記憶されている制御情報を調整したときの組み合わせと異なる場合であっても、この装置を制御し得るようにすることにある。
【課題を解決するための手段】
【０００５】
請求項１に係る発明は、各々異なる機能を実現する複数の機能実現手段を備えた装置に対してそれぞれ接続又は分離が可能で、前記装置に接続された状態で各々の前記機能実現手段の制御を行う第１制御部及び第２制御部を備え、前記第１制御部及び前記第２制御部はそれぞれ、各々の前記機能実現手段を制御するときに用いる制御情報を記憶し、記憶している当該制御情報を用いて各々の前記機能実現手段を制御する１又は複数の副制御基板と、自身が備える前記副制御基板の動作を制御する主制御基板とを備え、前記第１制御部が備える前記主制御基板は、前記第１制御部が前記装置に接続された状態で、当該装置において第１の操作がなされると、前記第２制御部が備える前記副制御基板に記憶されている前記制御情報を取得して記憶し、前記装置において第２の操作がなされると、自身が記憶していた前記制御情報を前記第２制御部に供給して、当該前記第２制御部が備える前記副制御基板に記憶させることを特徴とする制御装置である。
請求項２に係る発明は、請求項１に記載の構成において、前記第１の操作は、前記装置に対する電力の供給を停止する操作であり、前記第２の操作は、前記装置に対する電力の供給を開始する操作であることを特徴とする制御装置である。
請求項３に係る発明は、請求項１又は請求項２のいずれか１項に記載の制御装置と、記録媒体に画像を形成する機能を含む複数の機能を実現する機能実現手段とを備えることを特徴とする画像形成装置である。
【発明の効果】
【０００６】
請求項１記載の発明によれば、制御対象となる装置を制御する複数の制御部の組み合わせが、これらの制御部に記憶されている制御情報を調整したときの組み合わせと異なる場合であっても、この装置を制御し得る。
請求項２記載の発明によれば、電力供給の停止とその開始という、装置を動作させるのに必須の操作を利用して、調整時の制御情報を退避及び記憶させることができる。
請求項３記載の発明によれば、制御対象となる装置を制御する複数の制御部の組み合わせが、これらの制御部に記憶されている制御情報を調整したときの組み合わせと異なる場合であっても、この装置を制御し得る。
【図面の簡単な説明】
【０００７】
【図１】本発明の実施形態に係る画像形成装置１の構成を示したブロック図である。
【図２】同実施形態に係る制御部１１の構成を示したブロック図である。
【図３】同実施形態に係る制御情報を各副制御基板のメモリに記憶させる動作を説明するシーケンス図である。
【図４】同実施形態に係る制御情報を退避させる動作を説明するシーケンス図である。
【図５】同実施形態に係る制御情報を各副制御基板のメモリに記憶させる動作を説明するシーケンス図である。
【発明を実施するための形態】
【０００８】
以下、図面を参照して、本発明の実施形態について説明する。
（１）構成
図１は、画像形成装置１の構成を示したブロック図である。
画像形成装置１は、記録用紙などの記録媒体にトナーなどの色材を用いて画像を形成したり、記録媒体に形成された画像を読み込んだりするために、例えばプリントやスキャンなどの機能が集約された機器である。この画像形成装置１は、制御部１１、記憶部１２、操作部１３、表示部１４、通信部１５、画像読取部１６、及び画像形成部１７を備えている。制御部１１は、制御装置の一例であり、ＣＰＵ（Central Processing Unit）と、ＲＯＭ（Read Only Memory）と、ＲＡＭ（Random Access Memory）と、ＡＳＩＣ（Application Specific Integrated Circuit）を備えており、ＣＰＵがＲＯＭや記憶部１２に記憶されているプログラムを実行することによって画像形成装置１の各部を制御する。
【０００９】
記憶部１２は、ＨＤ（Hard Disk）などの不揮発性の補助記憶装置であり、各種のプログラムやデータを記憶している。操作部１３は、電源スイッチや複数のキーを備えており、利用者の操作を受け付けてその操作に応じた信号を制御部１１に供給する。表示部１４は、ＶＲＡＭ（Video RAM）、液晶ディスプレイ及び液晶駆動回路を備えており、制御部１１から供給される情報に基づいて、処理の進行状況や利用者に操作を案内する情報などを表示する。通信部１５は、通信回路や通信インタフェースを備えており、図示せぬＷＡＮ（Wide Area Network）やＬＡＮ（Local Area Network）などの通信回線を介してパーソナルコンピュータ等の外部装置との間で情報を送受信する。画像読取部１６は、ＣＣＤ（Charge Coupled Device）により構成される光学系部材を備えており、記録用紙に形成されている画像を光学系部材によって読み取り、読み取った画像を表す画像データを生成する。画像形成部１７は、像保持体である感光体ドラム、感光体ドラムに静電潜像を形成する露光部、静電潜像を現像してトナー像を形成する現像部、そのトナー像を記録用紙へ転写する転写部、及び記録用紙に転写されたトナー像をその記録用紙に定着させる定着部を備えている。
【００１０】
記憶部１２、操作部１３、表示部１４、通信部１５、画像読取部１６、及び画像形成部１７はそれぞれ、情報を記憶する機能、操作に応じた信号を入力する機能、情報を表示する機能、情報を送受信する機能、画像を読み取って画像データを生成する機能、及び画像を記録用紙に形成する機能を実現する。以降の説明において、特に個別の機能に特化して説明する必要のない場合には、記憶部１２、操作部１３、表示部１４、通信部１５、画像読取部１６、及び画像形成部１７を「モジュール」と総称する。つまり、モジュールは、各々異なる機能を実現する複数の機能実現手段の一例として機能する。
【００１１】
図２は、制御部１１の構成を示したブロック図である。
制御部１１は、第１制御部２１と第２制御部２２という２つの構成要素を備えており、これら第１制御部２１と第２制御部２２とは図示せぬバス等で接続されている。第１制御部２１は、第１主制御基板２１１と副制御基板２１２ａ〜副制御基板２１２ｃとがマザーボード上のコネクタ（図示せぬ）に接続されたものである。第２制御部２２は、第２主制御基板２２１と副制御基板２２２ａ〜副制御基板２２２ｃとがマザーボード上のコネクタ（図示せぬ）に接続されたものである。つまり、これら第１制御部２１及び第２制御部２２は、画像形成装置１に対してそれぞれ接続又は分離が可能な構成になっている。
【００１２】
第１主制御基板２１１は、副制御基板２１２ａ〜副制御基板２１２ｃの動作を制御するほか、第２主制御基板２２１の動作をも制御するために設計、製造された集積回路である。この第１主制御基板２１１は、ＣＰＵ２１１ａと、ＲＡＭ２１１ｂと、ＲＯＭ２１１ｃと、フラッシュメモリ２１１ｄとを備えている。ＣＰＵ２１１ａが、ＲＯＭ２１１ｃに記憶されているプログラムを実行することによって、副制御基板２１２ａ〜副制御基板２１２ｃの動作と、第２主制御基板２２１の動作を制御する。つまり、第１主制御基板２１１は、副制御基板の動作を制御する主制御基板の一例である。
【００１３】
第２主制御基板２２１は、副制御基板２２２ａ〜副制御基板２２２ｃの動作を制御するために設計、製造された集積回路であり、ＣＰＵ２２１ａと、ＲＡＭ２２１ｂと、ＲＯＭ２２１ｃと、フラッシュメモリ２２１ｄを備えている。ＣＰＵ２２１ａが、ＲＯＭ２２１ｃに記憶されているプログラムを実行することによって、副制御基板２２２ａ〜副制御基板２２２ｃの動作を制御する。つまり、第２主制御基板２２１は、副制御基板の動作を制御する主制御基板の一例である。
【００１４】
副制御基板２１２ａ〜副制御基板２２２ｃは、自身のメモリに記憶された情報（以降、制御情報と称する）を基にして、制御対象のモジュールの動作を制御するために設計、製造された集積回路である。例えば、副制御基板２１２ａが制御対象としての記憶部１２を制御し、副制御基板２１２ｂが制御対象として画像形成部１７を制御し、副制御基板２１２ｃが制御対象としての表示部１４を制御し、副制御基板２２２ａが通信部１５を制御対象としての制御し、副制御基板２２２ｂが制御対象としての操作部１３を制御し、副制御基板２２２ｃが制御対象としての画像読取部１６を制御する、といった具合である。そして、例えば制御対象のモジュールが画像形成部１７とした場合の制御情報は、記録用紙に画像を形成するときの画像形成速度やトナーの濃度、あるいは記録用紙を搬送する速度などに関する制御パラメータである。
【００１５】
一方、各々の副制御基板２１２ａ〜副制御基板２２２ｃが記憶している制御情報は互いに影響し合うことがある。例えば、画像形成部１７を制御する副制御基板２１２ｂが記憶している制御情報が、画像読取部１６を制御する副制御基板２２２ｃが記憶している制御情報に影響を与えることがある。この場合、画像形成部１７を制御する副制御基板２１２ｂが記憶している制御情報が決まれば、画像読取部１６を制御する副制御基板２２２ｃが記憶している制御情報も決まる。つまり、制御情報の決め方に関しては、第１制御部２１は、第２制御部２２に対していわゆるマスタ（主）として機能し、第２制御部２２は、第１制御部２１に対していわゆるスレーブ（副）として機能する。
【００１６】
そこで、これらの制御情報は、制御部１１を構成する第１制御部２１及び第２制御部２２の組み合わせ毎に、制御対象のモジュールが予め決められた性能を満たすように製造元から出荷される際に調整されるようになっている。ところが、製造元から出荷される際に、或る第１制御部２１と或る第２制御部２２とが組み合わせられて制御情報が調整されたとしても、これら第１制御部２１や第２制御部２２を含む画像形成装置の一式が倉庫に保管されてエンドユーザ（出荷先）の所在地まで輸送されて組み立てられるまでの間に、例えば、作業ミスや部品交換等の理由により、第１制御部２１と第２制御部２２との組み合わせが変わることがある。また、複数台の画像形成装置１を出荷先に納入する場合においても、作業者が、第１制御部２１と第２制御部２２とを、製造元から出荷される際の組み合わせとは異なる任意の組み合わせで画像形成装置１に設置してしまう可能性がある。このように第１制御部２１と第２制御部２２との組み合わせが変わってしまうと、これらの第１制御部２１と第２制御部２２に記憶された制御情報は、制御対象のモジュールが予め決められた性能を満たすように調整されているわけではないから、不具合や故障を招く原因となる恐れがある。例えば、画像形成部１７を制御する副制御基板２１２ｂが記憶している制御情報と、画像読取部１６を制御する副制御基板２２２ｃが記憶している制御情報との例で言えば、出荷時の調整により、副制御基板２１２ｂが記憶している制御情報が決まることで、副制御基板２２２ｃが記憶している制御情報も決まっていたのに、その副制御基板２２２ｃが調整時とは別の副制御基板に入れ替わってしまうと、調整されていた制御情報が整合しなくなり、不具合や故障を招く場合があり得る。
【００１７】
（２）動作
次に、実施形態の動作について説明する。
なお、以降の説明において、各々の副制御基板を区別して説明する必要がない場合には、副制御基板２１２ａ〜副制御基板２２２ｃついて「副制御基板」と称することがある。
【００１８】
前述したように、画像形成装置１は、製造元から出荷先に出荷されるが、その際に、作業者は、制御対象となるモジュールが予め決められた性能を満たすように、後述する試験装置を用いて調整した制御情報を、各副制御基板のメモリに記憶させる必要がある。以下、作業者が、各副制御基板のメモリに制御情報を記憶させるときの動作について説明する。
【００１９】
図３は、制御情報を各副制御基板のメモリに記憶させるときの動作を説明する図である。
まず、作業者は、制御対象のモジュールが予め決められた性能を満たすような制御情報を算出するために、制御部１１を構成する第１制御部２１と第２制御部２２とを試験装置に接続する（ステップＳ３１）。この試験装置としては、画像形成装置１と同一のモジュール構成であり、接続された第１制御部２１と第２制御部２２とが実際に各モジュールの動作を制御し得るものが用いられる。
【００２０】
次に、作業者は、操作部１３を操作することで、試験装置に備えられた各モジュールに対して、予め決められたパターンの動作を実施するように指示をする（ステップＳ３２）。第１制御部２１及び第２制御部２２の各ＣＰＵは、操作部１３から入力された指示に従って、各副制御基板により、対応するモジュールの動作を制御させる。各副制御基板は、自身に備えるメモリに制御情報の初期値をあらかじめ記憶しており、この制御情報の初期値を基にして各モジュールの動作を制御する。例えば、作業者は、操作部１３を操作して、記録用紙に画像を形成するときのトナーの濃度が１００％となるように画像形成部１７に対して指示したとする。この指示に応じて、画像形成部１７を制御する副制御基板は、自身のメモリに記憶されている制御情報を参照して、トナー濃度１００％に対応する露光強度やトナー量などの値を特定し、それらの値に従って画像形成部１７を制御して記録用紙に画像を形成させる。
【００２１】
次に、作業者は、各種の測定機器を用いたり五感を利用するなどして、各モジュールの動作の結果を測定する。（ステップＳ３３）。例えば、作業者は、画像形成部１７にプリントを指示したとすると、記録用紙に画像が形成される速度や、記録用紙に形成されたトナーの濃度を測定する。そして、作業者は、この測定した結果から、各モジュールの動作が予め決められた性能を満たしているか否かを判断する（ステップＳ３４）。作業者が、性能を満たしていないと判断した場合には（ステップＳ３４；ＮＯ）、操作部１３を操作して副制御基板に備えられたメモリに記憶されている制御情報を調整（ステップＳ３６）して、再び、予め決められたパターンの動作を実施する（ステップＳ３２）。一方、作業者が、性能を満たしていると判断した場合には（ステップＳ３４；ＹＥＳ）、副制御基板のメモリに記憶する制御情報が決定される（ステップＳ３５）。以上の作業により、制御部１１を構成する第１制御部２１と第２制御部２２の組み合わせ毎に、予め決められた性能を満たす制御情報が決定され、副制御基板のメモリに記憶されることになる。
【００２２】
作業者は、各副制御基板のメモリに制御情報を記憶させた後に、試験装置から第１制御部２１と第２制御部２２を取り外す。そして、第１制御部２１と第２制御部２２とは、画像形成装置１と共に製造元から出荷先に出荷される。しかし、先述のように、制御部１１を構成する第１制御部２１と第２制御部２２は、出荷先において、必ずしも一意に決定された組み合わせで設置されるとは限らない。そこで、画像形成装置１は、第１制御部２１と第２制御部２２の組み合わせが変更されたとしても、制御対象となるモジュールを、予め決められた性能を満たすように調整された制御情報で制御し得るようにする必要がある。
これを実現するための動作として、以下では、第１主制御基板２１１のＣＰＵ２１１ａが、第２制御部２２に備えられた各副制御基板に記憶された制御情報を、第１主制御基板２１１のフラッシュメモリ２１１ｄに記憶（退避）させる動作について説明する。
【００２３】
図４は、制御情報を退避させる動作を説明するシーケンス図である。
作業者は、図３のステップＳ３５において各副制御基板のメモリに制御情報を記憶させる作業が完了すると、第１の操作の一例として、操作部１３の電源スイッチをＯＮからＯＦＦに切り替える（ステップＳ４１）。ここで、制御部１１は、即時に電力を遮断するのではなく、電力を遮断する為の前提となる処理を開始する。まず、第１主制御基板２１１のＣＰＵ２１１ａは、画像形成装置１に対する電力供給を停止する操作に応じて、電源スイッチがＯＮからＯＦＦに切り替えられたことを検知する（ステップＳ４２）。次に、第１主制御基板２１１のＣＰＵ２１１ａは、ＲＯＭ２１１ｃに記憶されているプログラムを実行して、第２主制御基板２２１のＣＰＵ２２１ａに対して、副制御基板２２２ａ〜副制御基板２２２ｃのメモリに記憶された制御情報を要求する（ステップＳ４３）。第２主制御基板２２１のＣＰＵ２２１ａは、要求に応じて、副制御基板２２２ａ〜副制御基板２２２ｃのメモリに記憶された制御情報を副制御基板２２２ａ〜副制御基板２２２ｃからそれぞれ取得し、これらを第１主制御基板２１１へと受け渡す（ステップＳ４４）。第１主制御基板２１１のＣＰＵ２１１ａは、第２主制御基板２２１のＣＰＵ２２１ａから制御情報を取得すると、その制御情報を第１主制御基板２１１のフラッシュメモリ２１１ｄに記憶させる（ステップＳ４５）。このとき、第１主制御基板２１１のＣＰＵ２１１ａは、制御情報だけでなく、各制御情報がどのモジュールを制御する副制御基板に記憶されていたかを識別する情報（以降、識別情報と称する）もフラッシュメモリ２１１ｄに記憶させる。したがって、第１主制御基板２１１のフラッシュメモリ２１１ｄには、複数の制御情報と、制御情報が記憶されていた副制御基板とが対応付けて記憶されることになる。この後、試験装置に供給される電力が遮断される。
以上のように、電源スイッチがＯＮからＯＦＦに切り替えられるという第１の操作をトリガーとして、第２制御部２２の副制御基板２２２ａ〜副制御基板２２２ｃに記憶された制御情報が、第１制御部２１のフラッシュメモリ２１１ｄに記憶されることになる。この状態で第１制御部２１及び第２制御部２２は製造元から出荷先に出荷されることになる。
【００２４】
作業者は、画像形成装置１を出荷先に設置する際に、第１制御部２１と第２制御部２２とを画像形成装置１に接続する。このとき、第１主制御基板２１１のＣＰＵ２１１ａは、図５に示すような動作を行う。
【００２５】
作業者は、画像形成装置１を設置する作業が完了すると、第２の操作として、操作部１３の電源スイッチをＯＦＦからＯＮに切り替える（ステップＳ５１）。このような画像形成装置１に対する電力供給を開始する操作に応じて、商用電源から画像形成装置１に対して電力が供給され、第１主制御基板２１１のＣＰＵ２１１ａは、電源スイッチがＯＦＦからＯＮに切り替えられたことを検知する（ステップＳ５２）。次に、第１主制御基板２１１のＣＰＵ２１１ａは、第１主制御基板２１１のフラッシュメモリ２１１ｄに記憶されている制御情報及び識別情報を読み出し、これらを第２主制御基板２２１のＣＰＵ２２１ａに受渡して、副制御基板のメモリに記憶させるように指示する（ステップＳ５３）。この指示に応じて、第２主制御基板２２１のＣＰＵ２２１ａは、識別情報をもとにして、制御情報を記憶するべき副制御基板を特定し、特定された副制御基板のメモリに制御情報を記憶させる（ステップＳ５４）。
【００２６】
以上のように、電源スイッチがＯＦＦからＯＮに切り替えられるという第２の操作をトリガーとして、フラッシュメモリ２１１ｄに退避されていた制御情報が各々適切な副制御基板のメモリに復帰することになる。即ち、製造元で電源がＯＦＦにされてから出荷先に設置されるまでの間に、例えば出荷時の第２制御部２２が別の第２制御部２２に変えられたとしても、現実に画像形成装置１が設置されたときには、第１制御部２１に応じた内容である第２制御部２２の制御情報が、各副制御基板２２２ａ〜２２２ｃのメモリに記憶されることになる。従って、この画像形成装置の各モジュールが動作するときには、第２制御部は、第１制御部に対応した制御情報に従って各モジュールの動作を制御する。
【００２７】
なお、画像形成装置１の利用者や保守担当者が、状況に応じて、操作部１３の電源スイッチのＯＮ・ＯＦＦの切り替えを行なう際にも、上述したような、制御情報の退避と復帰の動作が行われる。以下、この動作について説明する。
例えば、利用者や保守担当者は、画像形成装置１を長時間利用しない場合や、保守点検作業を実施する場合に電源スイッチをＯＦＦにしたとする。この場合にも、第１主制御基板２１１のＣＰＵ２１１ａは、電源スイッチがＯＮからＯＦＦに切り替えられたことを検知して、第２制御部２２の副制御基板のメモリに記憶された制御情報と識別情報を、フラッシュメモリ２１１ｄに記憶させる。一方、利用者や保守担当者は、画像形成装置１の利用を開始する場合や、保守点検作業が完了した場合には電源スイッチをＯＮにする。この場合にも、第１主制御基板２１１のＣＰＵ２１１ａは、電源スイッチがＯＦＦからＯＮに切り替えられたことを検知して、フラッシュメモリ２１１ｄに記憶された制御情報を、第２制御部２２の副制御基板のメモリに記憶させる。
【００２８】
例えば、画像形成装置１の利用者や保守担当者が、画像形成装置１を利用していく過程で各副制御基板のメモリに記憶された制御情報を変更したとする。この場合でも、第１主制御基板２１１のＣＰＵ２１１ａは、電源ＯＦＦ時に変更後の制御情報をフラッシュメモリ２１１ｄに記憶させ、電源ＯＮ時に変更後の制御情報を第２制御部２２の副制御基板のメモリに記憶させる。つまり、制御情報は、電源をＯＦＦにしても、直前に電源をＯＮからＯＦＦに切り替えた時点の内容を維持する。
【００２９】
（３）変形例
（３−１）変形例１
上記実施形態において、第１主制御基板２１１のＣＰＵ２１１ａは、第１の操作及び第２の操作としての操作部１３の電源スイッチのＯＮとＯＦＦの切り替え操作を検知することをトリガーとして、制御情報を第１制御部２１のフラッシュメモリ２１１ｄや、第２制御部２２に備えられた副制御基板のメモリに記憶させるようにしていた。このトリガーとして用いられる第１の操作及び第２の操作は、操作部１３の電源スイッチのＯＮとＯＦＦの切り替えに限るものではなく、例えば操作部１３のキーを用いた所定の操作や、図示せぬ通信回線を介してパーソナルコンピュータなどの端末からの遠隔操作など、それぞれが予め決められた操作であればよい。
【００３０】
（３−２）変形例２
上記実施形態において、制御装置の一例である制御部１１は、画像形成装置を制御対象とした。しかし、制御対象の装置としては、画像形成装置に限るものではない。つまり、制御対象の装置は、それぞれ異なる機能を実現する複数のモジュールを備えており、それぞれ接続又は分離が可能、且つ、それぞれ接続された状態で各々のモジュールを制御する制御基板を備える機器であればよい。
【００３１】
（３−３）変形例３
上記実施形態において、制御装置の一例である制御部１１は、それぞれ３枚の副制御基板を備えた２枚の主制御基板から構成されていた。しかし、制御装置（制御部１１）の構成は、実施形態の例示に限るものではない。つまり、制御装置（制御部１１）は、それぞれの主制御基板の間に主従の関係（本実施形態においては第１主制御基板２１１が主で、第２主制御基板２２１が従である）が予め定められていれば、主制御基板及び主制御基板に備わる副制御基板はどのような数であってもよい。例えば、予め主として定められた主制御基板が、従として定められた１以上の枚数の主制御基板を制御してもよい。また、それぞれの主制御基板に定められている、主従の関係は１つとは限らない。例えば、主制御基板Ａは主制御基板Ｂに対する主であると定められ、更に、主制御基板Ｂは主制御基板Ｃに対する主であると定められているような関係でもよい。
【符号の説明】
【００３２】
１…画像形成装置、１１…制御部、１２…記憶部、１３…操作部、１４…表示部、１５…通信部、１６…画像読取部、１７…画像形成部、２１…第１制御部、２１１…第１主制御基板、２１１ａ…ＣＰＵ、２１１ｂ…ＲＡＭ、２１１ｃ…ＲＯＭ、２１１ｄ…フラッシュメモリ、２１２ａ…副制御基板、２１２ｂ…副制御基板、２１２ｃ…副制御基板、２２…第２制御部、２２１…第２主制御基板、２２１ａ…ＣＰＵ、２２１ｂ…ＲＡＭ、２２１ｃ…ＲＯＭ、２２１ｄ…フラッシュメモリ、２２２ａ…副制御基板、２２２ｂ…副制御基板、２２２ｃ…副制御基板。
【図１】
2011010022.tif 000003
【図２】
2011010022.tif 000004
【図３】
2011010022.tif 000005
【図４】
2011010022.tif 000006
【図５】
2011010022.tif 000007